(57)【要約】【課題】利用者は、手間をかけることなく種々のサービスを受けるための電子回数券を容易に購入することができるとともに、不要となった該電子回数券の対価を容易に回収することができ、サービス提供事業者は、前記電子回数券を販売したり、該電子回数券の料金を徴収したりする必要がなく、人手を削減してコストを低くすることができるようにする。【解決手段】決済処理部は、エスクローサービス処理部が電子チケットの購入を希望する利用者の携帯端末より、携帯端末に記録された決済情報及び販売情報が掲載された電子チケットの購入要求を受信すると、決済情報に基づき、電子チケットの決済を行い、エスクローサービス処理部は、購入を希望する利用者の携帯端末に電子チケットのチケット情報を送信する。【選択図】図１
2008269624.tif 000002
【特許請求の範囲】
【請求項１】
（ａ）エスクローサービス処理部と決済処理部とを備えた電子チケット販売システムによる電子チケット取引方法であって、
（ｂ）前記エスクローサービス処理部は、電子チケットの販売を希望する利用者の携帯端末より、該携帯端末に記録された電子チケットの正当性を示す正当性情報、電子チケットの枚数を示す枚数情報を含むチケット情報、及び、該チケット情報に対応する電子チケットの販売要求を受信すると、前記正当性情報が正当であり、かつ、前記枚数情報が十分であるか否かをチェックし、前記電子チケットの販売情報を掲載するとともに、前記販売を希望する利用者の携帯端末に前記電子チケットのチケット情報を更新する旨の指令を送信し、
（ｃ）前記決済処理部は、前記エスクローサービス処理部が電子チケットの購入を希望する利用者の携帯端末より、該携帯端末に記録された決済情報及び販売情報が掲載された電子チケットの購入要求を受信すると、前記決済情報に基づき、前記電子チケットの決済を行い、
（ｄ）前記エスクローサービス処理部は、前記購入を希望する利用者の携帯端末に前記電子チケットのチケット情報を送信することを特微とする電子チケット取引方法。
【請求項２】
前記エスクローサービス処理部は、前記電子チケットの決済が成立した後に、前記電子チケットの情報を消去する請求項１に記載の電子チケット取引方法。
【請求項３】
前記エスクローサービス処理部は、前記電子チケットの決済が成立した後に、前記購入を希望する利用者の携帯端末に前記電子チケットのチケット情報を送信すると、前記電子チケットの情報を消去し、前記販売を希望する利用者の携帯端末に前記電子チケットが他者によって購入された旨の通知を送信する請求項１に記載の電子チケット取引方法。
【発明の詳細な説明】
【技術分野】
【０００１】
本発明は、電子チケット取引方法に関するものである。
【背景技術】
【０００２】
従来、電車、バス等の交通機関としての乗物に乗車するための乗車券のようなサービスを利用するためのチケットとして、回数券が広く普及している。一般に、該回数券は、複数枚のチケットが綴（つづ）り合わされて、冊子のような形態でまとめられており、前記交通機関の利用者は、あらかじめ前記回数券を購入し、乗物に乗車する度に一又は複数枚の切符を切り離して使用するようになっている。このため、前記利用者は、乗物に乗車する度にチケット販売窓口でチケットを購入する必要がないので、煩わしさを感じることがない。
【０００３】
そして、一般に、回数券には割引料金が適用されており、同一枚数のチケットをバラで購入する場合よりも低い値段で購入することができる。そのため、回数券は、利用者にとって経済的なメリットがある。
【０００４】
一方、交通機関等を運営する鉄道会社、バス会社等のサービス提供事業者は、回数券を販売することによって、提供するサービスの対価を事前に得ることができる。そのため、前記サービス提供事業者は、回数券に割引料金を適用しても、回数券を販売することによって、経済的なメリットを得ることができる。
【特許文献１】特開２００１−２９１０３５号公報
【発明の開示】
【発明が解決しようとする課題】
【０００５】
しかしながら、前記従来の回数券の場合、利用者は、鉄道の駅やバスの回数券販売所等のサービス提供事業者の運営する窓口まで出向いて購入しなければならないので、不便に感じてしまう。そして、窓口まで出向いても、時間帯によっては購入することができない場合がある。また、電車とバスのように、複数のサービスを利用しようとする場合、利用者は、それぞれの回数券を購入するために複数の窓口に出向く必要があり、手間がかかってしまう。さらに、例えば、転居によって利用することがなくなったバスの回数券のように、不要となった回数券が発生した場合、回数券の払戻を受け付けないサービス提供事業者もあり、利用者は経済的なデメリットを受けてしまう。
【０００６】
一方、サービス提供事業者は、回数券が利用された後、該回数券を回収し、枚数、回収金額等の精算業務を時間と人手をかけて行わなければならない。そのため、サービス提供事業者の業務負担が大きく、また、コストもかかってしまう。さらに、回数券の偽造、変造といった問題にも配慮する必要がある。
【０００７】
もっとも、近年では、複数の鉄道路線に共通する回数券のように、複数のサービスを利用可能な共通回数券や、自動機械で料金をあらかじめ入金しておくと、入金した料金の分だけ利用可能なＩＣカード式の回数券が提供されている。そして、前記共通回数券によって、利用者は複数の窓口に出向く必要がなくなり、また、ＩＣカード式の回数券によって、サービス提供事業者は、使用済み回数券を回収する必要が無く、枚数、回収金額等の精算業務も簡素化することができる。
【０００８】
しかしながら、依然として利用者は、窓口や自動機械の設置場所に出向いて料金を支払う必要があり、手間がかかってしまう。また、不要となった回数券が発生した場合にも、該回数券の払戻金を容易に得ることができない。一方、サービス提供事業者も、回数券を販売したり、該回数券の料金を徴収したりするために、依然として人手とコストがかかってしまう。
【０００９】
本発明は、前記従来の問題点を解決して、利用者は、手間をかけることなく種々のサービスを受けるための電子回数券を容易に購入することができるとともに、不要となった該電子回数券の対価を容易に回収することができ、サービス提供事業者は、前記電子回数券を販売したり、該電子回数券の料金を徴収したりする必要がなく、人手を削減してコストを低くすることができる電子チケット取引方法を提供することを目的とする。
【課題を解決するための手段】
【００１０】
そのために、本発明の電子チケット取引方法においては、エスクローサービス処理部と決済処理部とを備えた電子チケット販売システムによる電子チケット取引方法であって、前記エスクローサービス処理部は、電子チケットの販売を希望する利用者の携帯端末より、該携帯端末に記録された電子チケットの正当性を示す正当性情報、電子チケットの枚数を示す枚数情報を含むチケット情報、及び、該チケット情報に対応する電子チケットの販売要求を受信すると、前記正当性情報が正当であり、かつ、前記枚数情報が十分であるか否かをチェックし、前記電子チケットの販売情報を掲載するとともに、前記販売を希望する利用者の携帯端末に前記電子チケットのチケット情報を更新する旨の指令を送信し、前記決済処理部は、前記エスクローサービス処理部が電子チケットの購入を希望する利用者の携帯端末より、該携帯端末に記録された決済情報及び販売情報が掲載された電子チケットの購入要求を受信すると、前記決済情報に基づき、前記電子チケットの決済を行い、前記エスクローサービス処理部は、前記購入を希望する利用者の携帯端末に前記電子チケットのチケット情報を送信する。
【００１１】
本発明の他の電子チケット取引方法においては、さらに、前記エスクローサービス処理部は、前記電子チケットの決済が成立した後に、前記電子チケットの情報を消去する。
【００１２】
本発明の更に他の電子チケット取引方法においては、さらに、前記エスクローサービス処理部は、前記電子チケットの決済が成立した後に、前記購入を希望する利用者の携帯端末に前記電子チケットのチケット情報を送信すると、前記電子チケットの情報を消去し、前記販売を希望する利用者の携帯端末に前記電子チケットが他者によって購入された旨の通知を送信する。
【発明の効果】
【００１３】
本発明によれば、利用者は、手間をかけることなく種々のサービスを受けるための電子回数券を容易に購入することができるとともに、不要となった該電子回数券の対価を容易に回収することができる。また、サービス提供事業者は、前記電子回数券を販売したり、該電子回数券の料金を徴収したりする必要がなく、人手を削減してコストを低くすることができる。
【発明を実施するための最良の形態】
【００１４】
以下、本発明の実施の形態について図面を参照しながら詳細に説明する。
【００１５】
図１は本発明の第１の実施の形態における電子回数券取引システムの構成を示す図、図２は本発明の第１の実施の形態におけるＩＣキャッシュカードの構成を示す概念図、図３は本発明の第１の実施の形態におけるＩＣクレジットカードの構成を示す概念図である。
【００１６】
図１において、３０はサービス提供事業者が業務の遂行に使用するコンピュータシステムとしてのサービス提供システムである。本実施の形態においては、前記サービス提供事業者は、例えば、飛行機、電車、バス、船等の交通機関としての乗物、劇場、映画館、テーマパーク、競技場、展示場、遊園地等の施設、ホテル、旅館等の宿泊施設、飲物、食事等を提供する飲食店、ゴルフ場、スキー場等のスポーツ施設等を運営する者であり、各種サービスを提供する者であれば、個人、法人、営利企業、公益団体等いかなるものであってもよい。
【００１７】
そして、前記サービス提供事業者が提供するサービスは、チケットを使用して利用することができるようになっている。ここで、該チケットは、例えば、前記サービスが飛行機、電車、バス、船等の交通機関としての乗物の利用である場合、航空券、乗車券、特急券、バス券等であり、前記サービスが劇場、映画館、テーマパーク、競技場、展示場、遊園地等の施設の利用である場合、入場券、座席券、観覧券、遊具利用券等であり、前記サービスがホテル、旅館等の宿泊施設の利用である場合、宿泊券、利用券等であり、前記サービスが飲物、食事等を提供する飲食店である場合、食事券、ドリンク券等であり、前記サービスがゴルフ場、スキー場等のスポーツ施設の利用である場合、入場券、利用券、リフト券等である。また、本実施の形態においては、前記チケットには回数券が設定されている。ここで、該回数券は、後述される電子回数券であり、所定枚数のチケットが電子的に綴り合わされていて、該所定枚数のチケットを利用した場合と同様に機能する。そして、前記電子回数券は事前に料金を払い込んで購入するようになっている。
【００１８】
なお、本実施の形態においては、前記サービス提供事業者が電車、バス等の交通機関を運営する鉄道会社、バス会社等であり、前記電子回数券が電車、バス等の交通機関を利用するための乗車券、特急券等の電子回数券である場合について説明する。
【００１９】
また、前記サービス提供システム３０は、発売された電子回数券の情報、すなわち、回数券情報を登録する回数券登録サーバ３１を備え、ネットワーク１３に接続されている。ここで、該ネットワーク１３は、無線又は有線の専用通信回線網又は公衆通信回線網、インターネット、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、ＶＰＮ（Ｖｉｒｔｕａｌ  Ｐｒｉｖａｔｅ  Ｎｅｔｗｏｒｋ）、電話回線網、携帯電話回線網等いかなる種類のネットワークであってもよいし、複数種類のネットワークを結合したものであってもよい。なお、前記サービス提供システム３０は、通常、サービス提供事業者毎に構築されており、実際には複数であるが、図１においては、説明の都合上、一つだけが示されている。
【００２０】
そして、前記ネットワーク１３には、サービス利用ゲートシステム３２が接続されている。該サービス利用ゲートシステム３２は、例えば、鉄道の駅に配設された自動改札口のように、通常は閉止されているが、電子回数券等のチケットを利用すると、開放されるゲート装置を備えるシステムである。ここで、該ゲート装置は、カード読取装置を備え、後述される情報記録カード１１に記憶された回数券情報を読み取って、電子回数券等のチケットが利用されたことを判断する。なお、前記ゲート装置は、複数であり、かつ、複数箇所に配設されている。また、サービス利用ゲートシステム３２は、通常、サービス提供事業者毎に構築されており、複数であるが、図１においては、説明の都合上、一つだけが示されている。なお、前記サービス利用ゲートシステム３２は、サービス提供システム３０と一体的に構築されていてもよい。
【００２１】
また、１０は、前記サービスを利用する利用者であり、一般的には個人であるが、法人、営利企業、公益団体等いかなるものであってもよい。なお、前記利用者１０は、ＣＰＵ、ＭＰＵ等の演算手段、半導体メモリ、磁気ディスク等の記憶手段、キーボード、ジョイスティック、タッチパネル、ペン入力タブレット等の入力手段、ＣＲＴ、液晶ディスプレイ、ＬＥＤディスプレイ等の表示手段、入出力インターフェイス、通信インターフェイス等を備えるコンピュータとしての携帯端末１２を有する。ここで、該携帯端末１２は、例えば、携帯電話機、ＰＨＳ電話機、ＰＤＡ（Ｐｅｒｓｏｎａｌ  Ｄｉｇｉｔａｌ  Ａｓｓｉｓｔａｎｔ）、携帯型パーソナルコンピュータ、電子手帳、ゲーム機等、通信機能を有し、前記ネットワーク１３に接続可能なものであれば、いかなるものであってもよい。また、図１において、前記利用者１０は、一人だけしか図示されていないが、通常は、複数人である。
【００２２】
そして、前記携帯端末１２は、情報記録カード１１を装着して該情報記録カード１１に情報を書き込んだり、情報を読み出したりすることのできる図示されないＲ／Ｗ（リードアンドライト）装置を備えている。なお、前記携帯端末１２に装着可能な情報記録カード１１は、ＩＣ、ＬＳＩ等の記憶手段１１ｃを内蔵し、キャッシュカード、クレジットカード、デビットカード等として機能するＩＣカードである。
【００２３】
ここで、前記情報記録カード１１がＩＣキャッシュカード１１ａである場合、図２（ａ）に示されるように、記憶手段１１ｃには、キャッシュカード情報が格納されている。しかし、前記記憶手段１１ｃはＩＣ、ＬＳＩ等であり、記憶エリアが大きいので、開いている記憶エリアに、図２（ｂ）に示されるように、回数券情報を格納することができる。また、前記情報記録カード１１がＩＣクレジットカード１１ｂである場合も、図３（ａ）に示されるように、記憶手段１１ｃには、クレジットカード情報が格納されているが、前記記憶手段１１ｃはＩＣ、ＬＳＩ等であり、記憶エリアが大きいので、空いている記憶エリアに、図３（ｂ）に示されるように、回数券情報を格納することができる。なお、回数券情報には電子回数券の正当性を示す正当性情報、電子回数券の残高を示す残高情報等が含まれる。
【００２４】
これにより、前記情報記録カード１１は、個人情報（氏名、住所等）、金融機関情報（口座番号、暗証番号等）、決済情報、クレジットカード情報、ポイント情報、各種履歴、回数券情報等を格納する。そして、前記情報記録カード１１は、前記回数券情報を記録している場合、電子回数券として機能する。
【００２５】
また、２０はエスクローサービス（Ｅｓｃｒｏｗ  Ｓｅｒｖｉｃｅ）事業者が業務の遂行に使用するコンピュータシステムである電子チケット販売システムとしての電子回数券販売システムである。前記エスクローサービス事業者は、個人、法人、営利企業、公益団体等いかなるものであってもよく、前記サービス提供事業者とあらかじめ契約を締結し、電子回数券の利用者１０への販売、電子回数券の代金の徴収、利用者１０が未使用分の電子回数券を販売するためのエスクローサービスの提供等を行う。そのため、前記電子回数券販売システム２０は、電子回数券の販売を取り扱う回数券販売サーバ２１、電子回数券の販売に伴う決済を取り扱う決済処理部としての決済サーバ２２、及び、エスクローサービスを取り扱うエスクローサービス処理部としてのエスクローサーバ２３を有し、前記ネットワーク１３に接続されている。なお、前記エスクローサービス事業者は、複数のサービス提供事業者と契約を締結し、複数のサービス提供事業者の電子回数券の利用者１０への販売、電子回数券の代金の徴収、利用者１０が未使用分の電子回数券を販売するためのエスクローサービスの提供等を行うことができる。例えば、前記サービス提供事業者のすべてが鉄道会社であってもよいし、前記サービス提供事業者のいくつかが鉄道会社であり、いくつかがバス会社であってもよい。
【００２６】
ここで、前記回数券販売サーバ２１には、電子回数券を販売するためのホームページ（ウェブページ）が開設され、前記利用者１０は、携帯端末１２を操作して、ネットワーク１３を介して、前記ホームページにアクセスして、所望の電子回数券を検索し、購入することができるようになっている。
【００２７】
また、３５は決済サービス事業者が業務の遂行に使用するコンピュータシステムとしての決済システムであり、ネットワーク２５を介して電子回数券販売システム２０に接続されている。前記決済サービス事業者は、個人、法人、営利企業、公益団体等いかなるものであってもよいが、通常は、銀行、信用金庫等の金融機関、信販会社、クレジットカード会社等である。そして、前記決済サービス事業者は、前記サービス提供事業者及びエスクローサービス事業者とあらかじめ契約を締結し、電子回数券の販売に伴うクレジット決済、デビット決済、金融決済等の各種決済業務を行う。
【００２８】
なお、前記ネットワーク２５は、無線又は有線の専用通信回線網又は公衆通信回線網、インターネット、ＬＡＮ、ＷＡＮ、ＶＰＮ、電話回線網、携帯電話回線網等いかなる種類のネットワークであってもよいし、複数種類のネットワークを結合したものであってもよいが、セキュリティの観点から、専用通信回線網又はＶＰＮであることが望ましい。
【００２９】
次に、前記構成の電子回数券取引システムの動作について説明する。
【００３０】
図４は本発明の第１の実施の形態における電子回数券取引システムでの電子回数券を購入する動作を示す第１のフローチャート、図５は本発明の第１の実施の形態における電子回数券取引システムでの電子回数券を購入する動作を示す第２のフローチャートである。
【００３１】
ここでは、情報記録カード１１がデビットカードとしても機能するＩＣキャッシュカード１１ａであり、利用者１０はデビット機能を利用して電子回数券を購入する場合について説明する。
【００３２】
まず、電子回数券の購入を希望する利用者１０は、自ら所有する携帯端末１２からネットワーク１３に接続し、電子回数券販売システム２０の回数券販売サーバ２１に開設されたホームページにアクセスして、購入を希望する電子回数券を検索する。
【００３３】
そして、希望する電子回数券がある場合は、該電子回数券の名称、その希望数量（枚数）等の購入回数券情報を携帯端末１２から入力する。また、希望する電子回数券がない場合は、納得する電子回数券が見つかるまで検索を続ける。
【００３４】
次に、利用者１０はＩＣキャッシュカード１１ａを携帯端末１２のＲ／Ｗ装置に挿入し（あらかじめ挿入しておいてもよい。）、ＩＣキャッシュカード１１ａから氏名、電話番号、金融機関情報、決済情報を携帯端末１２に読み取らせた後、暗証番号を入力する。
【００３５】
そして、該暗証番号の入力が完了した後、携帯端末１２が読み取った前記ＩＣキャッシュカード１１ａの金融機関情報、決済情報、暗証番号、購入回数券情報等は暗号化され、電子回数券の購入要求として、ネットワーク１３を介して電子回数券販売システム２０に送信される。
【００３６】
続いて、携帯端末１２から送信された暗号化された金融機関情報、決済情報、暗証番号、購入回数券情報等を受信すると、電子回数券販売システム２０の決済サーバ２２は、決済システム３５にアクセスして、デビット決済を行う。
【００３７】
この場合、利用者１０が金融機関に開設した口座の残高が、購入を希望する電子回数券の代金以上である場合には、デビット決済が成立する。なお、前記口座の残高が、購入を希望する電子回数券の代金未満である場合には、デビット決済が成立しない。
【００３８】
そして、デビット決済が成立した場合、電子回数券販売システム２０は、電子回数券の回数券情報を暗号化し、ネットワーク１３を介して利用者１０の携帯端末１２に送信する。次に、該携帯端末１２は回数券情報をＩＣキャッシュカード１１ａに書き込む。そして、前記電子回数券販売システム２０が購入完了の通知を前記携帯端末１２に送信すると、前記通知が携帯端末１２の表示手段に表示される。
【００３９】
また、デビット決済が成立しなかった場合、電子回数券販売システム２０は、利用者１０の携帯端末１２に購入不可の通知を送信する。
【００４０】
次に、フローチャートについて説明する。
ステップＳ１  利用者１０はホームページで希望する回数券を検索する。
ステップＳ２  希望する回数券があるか否かを判断する。希望する回数券がある場合はステップＳ４に進み、希望する回数券がない場合はステップＳ３に進む。
ステップＳ３  検索を続けるか否かを判断する。検索を続ける場合はステップＳ２に戻り、検索を続けない場合は処理を終了する。
ステップＳ４  利用者１０は携帯端末１２上から希望する回数券及び枚数等の購入回数券情報を入力する。
ステップＳ５  利用者１０はＩＣキャッシュカード１１ａを携帯端末１２に挿入する。
ステップＳ６  携帯端末１２はＩＣキャッシュカード１１ａから決済情報を読み取る。
ステップＳ７  利用者１０は暗証番号を入力する。
ステップＳ８  携帯端末１２は読み取った決済情報、及び、購入回数券情報を暗証番号と共に電子回数券販売システム２０へ送信する。
ステップＳ９  電子回数券販売システム２０は携帯端末１２から決済情報、購入情報、暗証番号を受信する。
ステップＳ１０  電子回数券販売システム２０は決済システム３５にアクセスして、デビット決済を行う。
ステップＳ１１  デビット決済が成立したか否かを判断し、成立した場合はステップＳ１３に進み、成立しない場合はステップＳ１２に進む。
ステップＳ１２  電子回数券販売システム２０は利用者１０に購入不可の通知を行い、処理を終了する。
ステップＳ１３  電子回数券販売システム２０は回数券の購入情報を利用者１０の携帯端末１２に送信する。
ステップＳ１４  端末装置１２は受信した回数券の購入情報をＩＣキャッシュカード１１ａに書き込む。
ステップＳ１５  電子回数券販売システム２０は利用者１０に購入完了の通知を行い、処理を終了する。
【００４１】
次に、電子回数券を利用する場合の動作について説明する。
【００４２】
図６は本発明の第１の実施の形態における電子回数券取引システムでの電子回数券を利用する動作を示すフローチャートである。
【００４３】
まず、利用者１０は、ＩＣキャッシュカード１１ａを持って鉄道の駅等に配設されたゲート装置を通過する。このとき、ゲート装置が自動的にＩＣキャッシュカード１１ａから回数券情報に含まれる正当性情報及び残高情報を読み取る。そして、読み取った回数券情報が正当であり、かつ、電子回数券の残高が十分であると判断した場合、前記ゲート装置はゲートを開放して利用者１０の通過を許可するとともに、ＩＣキャッシュカード１１ａの記憶手段１１ｃに記憶された回数券情報に含まれる残高情報を更新する、すなわち、電子回数券の残高を減算する。
【００４４】
また、ＩＣキャッシュカード１１ａに回数券情報が記憶されていなかったり、読み取った回数券情報が正当でなかったり、また、電子回数券の残高が十分でない場合、前記ゲート装置はゲートを閉止したままにして、利用者１０の通過を許可しない。
【００４５】
次に、フローチャートについて説明する。
ステップＳ２１  利用者１０はＩＣキャッシュカード１１ａを持ってゲート装置（門）を通る。
ステップＳ２２  ゲート装置上のＩＣキャッシュカード読取装置はＩＣキャッシュカード１１ａの回数券の正当性、残高確認を行う。
ステップＳ２３  読み取った回数券情報が正当であり、かつ、残高が十分であるか否かを判断する。読み取った回数券情報が正当であり、かつ、残高が十分である場合はステップＳ２５に進み、読み取った回数券情報が不正、又は、残高が十分でない場合はステップＳ２４に進む。
ステップＳ２４  利用者１０は入場することができない旨のメッセージを表示し、アナウンスを行い、処理を終了する。
ステップＳ２５  利用者１０がゲート装置を通過することができる旨のガイダンスを表示し、ＩＣキャッシュカード１１ａの情報を更新し、処理を終了する。
【００４６】
このように、本実施の形態においては、利用者１０は携帯端末１２を操作して電子回数券販売システム２０にアクセスすることによって、電子回数券を購入することができるようになっている。この場合、携帯端末１２にセットされたＩＣキャッシュカード１１ａに含まれる情報に基づいて、電子回数券の代金が自動的に決済され、また、ＩＣキャッシュカード１１ａに回数券情報が記憶される。
【００４７】
そのため、利用者１０は、現金を持ち歩くことなく、電子回数券を購入することができる。また、利用者１０は、回数券の販売窓口や販売機の設置場所に出向く必要がないので、場所、時間に関係なく回数券を購入することができる。
【００４８】
一方、サービス提供事業者は、紙媒体による回数券印刷費用を削減することができるとともに、ＩＣキャッシュカード１１ａの記憶手段１１ｃの記憶エリアを利用することによって、ＩＣキャッシュカード１１ａの発行費用も軽減することができる。そして、回数券の販売窓口にかかる人件費、回数券の販売機の設置や管理にかかる費用を削減することができる。また、使用済の回数券の廃棄処理にかかる費用を削減することができる。さらに、利用者１０がサービスを利用する際の管理を自動で行うことができる。
【００４９】
次に、本発明の第２の実施の形態について説明する。なお、本実施の形態における電子回数券取引システムの構成については、前記第１の実施の形態と同様であるので、図１を援用して説明する。
【００５０】
図７は本発明の第２の実施の形態における電子回数券取引システムでの電子回数券を購入する動作を示す第１のフローチャート、図８は本発明の第２の実施の形態における電子回数券取引システムでの電子回数券を購入する動作を示す第２のフローチャートである。
【００５１】
本実施の形態においては、情報記録カード１１がＩＣクレジットカード１１ｂであり、利用者１０はクレジット機能を利用して電子回数券を購入する場合について説明する。この場合、利用者１０は金融機関に開設した自分の口座の残高が不足していても電子回数券を購入することができる。
【００５２】
まず、電子回数券の購入を希望する利用者１０は、自ら所有する携帯端末１２からネットワーク１３に接続し、電子回数券販売システム２０の回数券販売サーバ２１に開設されたホームページにアクセスして、購入を希望する電子回数券を検索する。
【００５３】
そして、希望する電子回数券がある場合は、該電子回数券の名称、その希望数量（枚数）等の購入回数券情報を携帯端末１２から入力する。また、希望する電子回数券がない場合は、納得する電子回数券が見つかるまで検索を続ける。
【００５４】
次に、利用者１０はＩＣクレジットカード１１ｂを携帯端末１２のＲ／Ｗ装置に挿入し（あらかじめ挿入しておいてもよい。）、ＩＣクレジットカード１１ｂから氏名、電話番号、金融機関情報、決済情報を携帯端末１２に読み取らせた後、暗証番号を入力する。
【００５５】
そして、該暗証番号の入力が完了した後、携帯端末１２が読み取った前記ＩＣクレジットカード１１ｂの金融機関情報、決済情報、暗証番号、購入回数券情報等は暗号化され、電子回数券の購入要求として、ネットワーク１３を介して電子回数券販売システム２０に送信される。
【００５６】
続いて、携帯端末１２から送信された暗号化された金融機関情報、決済情報、暗証番号、購入回数券情報等を受信すると、電子回数券販売システム２０の決済サーバ２２は、決済システム３５にアクセスして、クレジット決済を行う。
【００５７】
この場合、クレジットの与信情報がチェックされ、利用者１０の取引が停止されていなかったり、クレジットの限度額を超えてなかったりして、問題がない場合には、クレジット決済が成立する。なお、前記利用者１０の取引が停止されていたり、クレジットの限度額を超えていたりする等、問題がある場合には、クレジット決済が成立しない。
【００５８】
そして、クレジット決済が成立した場合、電子回数券販売システム２０は、電子回数券の回数券情報を暗号化し、ネットワーク１３を介して利用者１０の携帯端末１２に送信する。次に、該携帯端末１２は回数券情報をＩＣクレジットカード１１ｂに書き込む。そして、前記電子回数券販売システム２０が購入完了の通知を前記携帯端末１２に送信すると、前記通知が携帯端末１２の表示手段に表示される。
【００５９】
また、クレジット決済が成立しなかった場合、電子回数券販売システム２０は、利用者１０の携帯端末１２に購入不可の通知を送信する。
【００６０】
次に、フローチャートについて説明する。
ステップＳ３１  利用者１０はホームページ上で希望する電子回数券を検索する。
ステップＳ３２  希望する電子回数券があるか否かを判断する。希望する電子回数券がある場合はステップＳ３４に進み、希望する回数券がない場合はステップＳ３３に進む。
ステップＳ３３  検索を続けるか否かを判断する。検索を続ける場合はステップＳ３２に戻り、検索を続けない場合は処理を終了する。
ステップＳ３４  利用者１０は携帯端末１２上から希望する回数券及び枚数等の購入回数券情報を入力する。
ステップＳ３５  利用者１０はＩＣクレジットカード１１ｂを携帯端末１２に挿入する。
ステップＳ３６  携帯端末１２はＩＣクレジットカード１１ｂから氏名、電話番号、口座番号等の決済情報を読み取る。
ステップＳ３７  利用者１０は暗証番号を入力する。
ステップＳ３８  携帯端末１２は読み取った決済情報、及び、購入回数券情報を暗証番号と共に電子回数券販売システム２０へ送信する。
ステップＳ３９  電子回数券販売システム２０は利用者１０から決済情報、購入情報、暗証番号を受信する。
ステップＳ４０  電子回数券販売システム２０はクレジット決済を行う。
ステップＳ４１  クレジット決済が成立したか否かを判断する。クレジット決済が成立した場合はステップＳ４３に進み、クレジット決済が成立していない場合はステップＳ４２に進む。
ステップＳ４２  電子回数券販売システム２０は利用者１０に購入不可の通知を行い、処理を終了する。
ステップＳ４３  電子回数券販売システム２０は回数券の購入情報を利用者１０の携帯端末１２に送信する。
ステップＳ４４  携帯端末１２は受信した回数券の購入情報をＩＣクレジットカード１１ｂに書き込む。
ステップＳ４５  電子回数券販売システム２０は利用者１０に購入完了の通知を行い、処理を終了する。
【００６１】
なお、本実施の形態における電子回数券取引システムでの電子回数券を利用する動作は、前記第１の実施の形態と同様であるので説明を省略する（ＩＣキャッシュカード１１ａがＩＣクレジットカード１１ｂに代わるだけである。）。
【００６２】
このように、本実施の形態においては、利用者１０は携帯端末１２を操作して電子回数券販売システム２０にアクセスすることによって、電子回数券を購入することができるようになっている。この場合、携帯端末１２にセットされたＩＣクレジットカード１１ｂに含まれる情報に基づいて、電子回数券の代金が自動的に決済され、また、ＩＣクレジットカード１１ｂに回数券情報が記憶される。
【００６３】
そのため、利用者１０は、現金を持ち歩くことなく、電子回数券を購入することができる。また、利用者１０は、回数券の販売窓口や販売機の設置場所に出向く必要がないので、場所、時間に関係なく回数券を購入することができる。
【００６４】
一方、サービス提供事業者は、紙媒体による回数券印刷費用を削減することができるとともに、ＩＣクレジットカード１１ｂの記憶手段１１ｃの記憶エリアを利用することによって、ＩＣクレジットカード１１ｂの発行費用も軽減することができる。そして、電子回数券の販売窓口にかかる人件費、電子回数券の販売機の設置や管理にかかる費用を削減することができる。また、使用済の電子回数券の廃棄処理にかかる費用を削減することができる。さらに、利用者１０がサービスを利用する際の管理を自動で行うことができる。
【００６５】
次に、本発明の第３の実施の形態について説明する。なお、本実施の形態における電子回数券取引システムの構成については、前記第１の実施の形態と同様であるので、図１を援用して説明する。
【００６６】
図９は本発明の第３の実施の形態における電子回数券取引システムでのエスクローサービスを利用して電子回数券の販売情報を掲載する動作を示すフローチャート、図１０は本発明の第３の実施の形態における電子回数券取引システムでのエスクローサービスを利用して電子回数券を購入する動作を示す第１のフローチャート、図１１は本発明の第３の実施の形態における電子回数券取引システムでのエスクローサービスを利用して電子回数券を購入する動作を示す第２のフローチャート、図１２は本発明の第３の実施の形態における電子回数券取引システムでのエスクローサービスを利用して販売した電子回数券の代金を受領する動作を示すフローチャートである。
【００６７】
本実施の形態においては、エスクローサービスを利用して、利用者１０が未使用分の電子回数券を他の利用者１０に販売する場合について説明する。なお、前記利用者１０の情報記録カード１１は、ＩＣキャッシュカード１１ａ又はＩＣクレジットカード１１ｂのいずれであってもよいが、前記他の利用者１０の情報記録カード１１は、ＩＣキャッシュカード１１ａであるとする。
【００６８】
まず、自己の所有する未使用分の電子回数券の販売を希望する利用者１０は、前記電子回数券の回数券情報が記憶された情報記録カード１１を自ら所有する携帯端末１２のＲ／Ｗ装置に挿入する。そして、前記携帯端末１２からネットワーク１３に接続し、電子回数券販売システム２０のエスクローサーバ２３にアクセスする。
【００６９】
続いて、利用者１０は、携帯端末１２を操作して、情報記録カード１１に記憶されている電子回数券の販売要求及び該電子回数券の回数券情報を、前記携帯端末１２の連絡先と共に前記エスクローサーバ２３に送信する。ここで、前記回数券情報には正当性情報及び残高情報が含まれている。なお、情報記録カード１１に記憶されている電子回数券が複数である場合、利用者１０は、複数の電子回数券の中から販売を希望する電子回数券の回数券情報を選択して送信する。また、前記携帯端末１２の連絡先は、例えば、電話番号であるが、電子メールアドレス等であってもよい。
【００７０】
一方、エスクローサーバ２３は、電子回数券の回数券情報を受信すると、該回数券情報に含まれる正当性情報及び残高情報をチェックする。この場合、エスクローサーバ２３は、回数券販売サーバ２１やサービス提供システム３０の回数券登録サーバ３１にアクセスするようにしてもよい。
【００７１】
そして、回数券情報が正当であり、かつ、電子回数券の残高が十分であると判断した場合、エスクローサーバ２３は、前記電子回数券の販売情報を掲載する旨の通知と共に前記電子回数券の回数券情報を更新する指令を携帯端末１２に送信する。これにより、該携帯端末１２は、情報記録カード１１に記録された前記電子回数券の回数券情報を更新する、すなわち、前記電子回数券の回数券情報をクリアする。また、エスクローサーバ２３内には、前記電子回数券の販売情報が掲載される。この場合、販売のための回数券番号が前記電子回数券に付与されて、掲載される。
【００７２】
なお、前記回数券情報が正当でなかったり、また、電子回数券の残高が十分でない場合、エスクローサーバ２３は、販売情報を掲載することができない旨の通知を携帯端末１２に送信する。そして、前記通知は携帯端末１２の表示手段に表示される。この場合、前記電子回数券の販売情報は掲載されない。さらに、不正な回数券情報を感知した場合、追跡を行うこともできる。
【００７３】
次に、電子回数券の購入を希望する他の利用者１０は、自ら所有する携帯端末１２からネットワーク１３に接続し、電子回数券販売システム２０のエスクローサーバ２３にアクセスして、該エスクローサーバ２３に掲載されている電子回数券の販売情報を検索する。なお、前記他の利用者１０は、情報記録カード１１としてＩＣキャッシュカード１１ａを使用する。
【００７４】
そして、希望する電子回数券がある場合は、該電子回数券に付与されている回数券番号を携帯端末１２から入力する。また、希望する電子回数券がない場合は、納得する電子回数券が見つかるまで検索を続ける。
【００７５】
次に、利用者１０はＩＣキャッシュカード１１ａを携帯端末１２のＲ／Ｗ装置に挿入し（あらかじめ挿入しておいてもよい。）、ＩＣキャッシュカード１１ａから氏名、電話番号、金融機関情報、決済情報を携帯端末１２に読み取らせた後、暗証番号を入力する。
【００７６】
そして、該暗証番号の入力が完了した後、携帯端末１２が読み取った前記ＩＣキャッシュカード１１ａの金融機関情報、決済情報、暗証番号、購入回数券情報等は暗号化され、電子回数券の購入要求として、ネットワーク１３を介して電子回数券販売システム２０に送信される。
【００７７】
続いて、携帯端末１２から送信された暗号化された金融機関情報、決済情報、暗証番号、購入回数券情報等を受信すると、電子回数券販売システム２０の決済サーバ２２は、決済システム３５にアクセスして、デビット決済を行う。
【００７８】
この場合、前記他の利用者１０が金融機関に開設した口座の残高が、購入を希望する電子回数券の代金以上である場合には、デビット決済が成立する。なお、前記口座の残高が、購入を希望する電子回数券の代金未満である場合には、デビット決済が成立しない。
【００７９】
そして、該デビット決済が成立した場合、電子回数券販売システム２０は、掲載されていた電子回数券の回数券情報を暗号化し、ネットワーク１３を介して前記他の利用者１０の携帯端末１２に送信する。次に、該携帯端末１２は回数券情報をＩＣキャッシュカード１１ａに書き込む。そして、前記電子回数券販売システム２０が購入完了の通知を前記携帯端末１２に送信すると、前記通知が携帯端末１２の表示手段に表示される。さらに、エスクローサーバ２３に掲載されていた前記電子回数券の販売情報は消去される。
【００８０】
また、デビット決済が成立しなかった場合、電子回数券販売システム２０は、他の利用者１０の携帯端末１２に購入不可の通知を送信する。
【００８１】
続いて、エスクローサーバ２３は、販売情報が掲載されていた電子回数券が第三者によって購入された旨の通知を利用者１０の携帯端末１２に送信する。この場合、前記通知は、既に送信された携帯端末１２の連絡先に電子メール等の形態で送信される。例えば、「××月××日販売されました。手数料は××円、お支払い額は××円です。窓口までお越しください」等の通知が送信される。
【００８２】
そして、通知を受信した利用者１０は、通知に従って電子回数券の販売代金を受け取るために、所定の窓口に出向く。そして、本人確認のためにＩＣキャッシュカード１１ａを提示する。なお、必要に応じて、暗証番号を入力することもある。
【００８３】
続いて、本人確認が行われ、本人であることが確認されると、販売手数料を差し引いた販売代金が現金で前記利用者１０に引き渡される。なお、必要に応じて受領のサインと交換する。これにより、電子回数券を販売した利用者１０は、販売代金を受け取ることができる。なお、販売手数料の一部又は全部は、サービス提供事業者に引き渡される。
【００８４】
また、本人であることを確認することができなかった場合は、販売代金の引渡は行われない。
【００８５】
次に、フローチャートについて説明する。まず、エスクローサービスを利用して電子回数券の販売情報を掲載する動作を示すフローチャートについて説明する。
ステップＳ５１  利用者１０は情報記録カード１１を挿入した携帯端末１２からエスクローサーバ２３にアクセスする。
ステップＳ５２  利用者１０は販売したい回数券情報及び連絡先をエスクローサーバ２３に送信する。
ステップＳ５３  エスクローサーバ２３において受信した回数券の正当性、残高の確認等を行う。
ステップＳ５４  正当な回数券であり、かつ、残高が十分であるか否かを判断する。正当な回数券であり、かつ、残高が十分である場合はステップＳ５６に進み、回数券が不正、又は残高が十分でない場合はステップＳ５５に進む。
ステップＳ５５  販売情報を掲載することができない旨のメッセージを表示し、利用者１０にアナウンスする。
ステップＳ５６  販売情報を掲載することができる旨のガイダンスを表示し、情報記録カード１１の情報を更新する。
ステップＳ５７  エスクローサーバ２３上に販売情報を掲載する。
【００８６】
次に、エスクローサービスを利用して電子回数券を購入する動作を示すフローチャートについて説明する。
ステップＳ６１  他の利用者１０はエスクローサーバ２３上の電子回数券の販売情報を検索する。
ステップＳ６２  希望する電子回数券があるか否かを判断する。希望する電子回数券がある場合はステップＳ６４に進み、希望する電子回数券がない場合はステップＳ６３に進む。
ステップＳ６３  検索を続けるか否かを判断する。検索を続ける場合はステップＳ６２に戻り、検索を続けない場合は処理を終了する。
ステップＳ６４  他の利用者１０は携帯端末１２上から希望する回数券番号（販売番号）を入力する。
ステップＳ６５  他の利用者１０はＩＣキャッシュカード１１ａを携帯端末１２に挿入する。
ステップＳ６６  携帯端末１２はＩＣキャッシュカード１１ａから氏名、電話番号、口座番号等の決済情報を読み取る。
ステップＳ６７  他の利用者１０は暗証番号を入力する。
ステップＳ６８  携帯端末１２は読み取った決済情報、及び、購入回数券情報を暗証番号と共に電子回数券販売システム２０へ送信する。
ステップＳ６９  電子回数券販売システム２０は他の利用者１０から決済情報、購入情報、暗証番号を受信する。
ステップＳ７０  電子回数券販売システム２０はデビット決済を行う。
ステップＳ７１  デビット決済が成立したか否かを判断する。デビット決済が成立した場合はステップＳ７３に進み、デビット決済が成立していない場合はステップＳ７２に進む。
ステップＳ７２  電子回数券販売システム２０は他の利用者１０に購入不可の通知を行い、処理を終了する。
ステップＳ７３  電子回数券販売システム２０は回数券の購入情報を他の利用者１０の携帯端末１２に送信する。このとき、発行情報等を付加した上で暗号化する。
ステップＳ７４  携帯端末１２は受信した回数券の購入情報をＩＣキャッシュカード１１ａに書き込む。
ステップＳ７５  電子回数券販売システム２０は他の利用者１０に購入完了の通知を行う。
ステップＳ７６  エスクローサーバ２３内の該当する販売情報を消去し、処理を終了する。
【００８７】
次に、エスクローサービスを利用して販売した電子回数券の代金を受領する動作を示すフローチャートについて説明する。
ステップＳ８１  エスクローサーバ２３に掲載されていた電子回数券が他の利用者１０によって購入された旨の通知を利用者１０に行う。
ステップＳ８２  通知を受けた利用者１０は、メッセージに従って販売代金を受け取りに窓口に向かい、本人確認のためにＩＣキャッシュカード１１ａを提示し、必要時には暗証番号の入力を行う。
ステップＳ８３  本人確認を行い、本人であるか否かを判断する。本人である場合はステップＳ８５に進み、本人でない場合はステップＳ８４に進む。
ステップＳ８４  本人以外であるので、販売代金の引き渡しを行わずに処理を終了する。
ステップＳ８５  手数料を差し引いた販売代金を現金で引き渡し、処理を終了する。
【００８８】
このように、本実施の形態においては、利用者１０は携帯端末１２を操作して電子回数券販売システム２０のエスクローサーバ２３にアクセスすることによって、不要となった電子回数券を販売することができる。そのため、利用者１０は不要となった電子回数券を無駄にすることなく、容易に代金を回収することができる。また、エスクローサーバ２３を介して販売するので、手間をかけることなく販売することができるとともに、代金を確実に回収することができる。
【００８９】
また、他の利用者１０は携帯端末１２を操作して電子回数券販売システム２０のエスクローサーバ２３にアクセスすることによって、所望の電子回数券を購入することができる。そのため、現金を持ち歩くことなく、電子回数券を購入することができ、また、電子回数券の販売窓口や販売機の設置場所に出向く必要がないので、場所、時間に関係なく電子回数券を購入することができる。
【００９０】
さらに、サービス提供事業者は、紙媒体による回数券印刷費用を削減することができるとともに、販売手数料の収入を得ることができる。
【００９１】
次に、本発明の第４の実施の形態について説明する。なお、本実施の形態における電子回数券取引システムの構成については、前記第１の実施の形態と同様であるので、図１を援用して説明する。
【００９２】
図１３は本発明の第４の実施の形態における電子回数券取引システムでのエスクローサービスを利用して電子回数券を購入する動作を示す第１のフローチャート、図１４は本発明の第４の実施の形態における電子回数券取引システムでのエスクローサービスを利用して電子回数券を購入する動作を示す第２のフローチャートである。
【００９３】
本実施の形態においては、エスクローサービスを利用して、利用者１０が未使用分の電子回数券を他の利用者１０に販売する場合について説明するが、エスクローサーバ２３内に、電子回数券の販売情報が掲載されるまでの動作については、前記第３の実施の形態と同様であるので説明を省略する。なお、本実施の形態においては、前記他の利用者１０の情報記録カード１１がＩＣクレジットカード１１ｂである場合について説明する。
【００９４】
電子回数券の購入を希望する他の利用者１０は、自ら所有する携帯端末１２からネットワーク１３に接続し、電子回数券販売システム２０のエスクローサーバ２３にアクセスして、該エスクローサーバ２３に掲載されている電子回数券の販売情報を検索する。
【００９５】
そして、希望する電子回数券がある場合は、該電子回数券に付与されている回数券番号を携帯端末１２から入力する。また、希望する電子回数券がない場合は、納得する電子回数券が見つかるまで検索を続ける。
【００９６】
次に、利用者１０はＩＣクレジットカード１１ｂを携帯端末１２のＲ／Ｗ装置に挿入し（あらかじめ挿入しておいてもよい。）、ＩＣクレジットカード１１ｂから氏名、電話番号、金融機関情報、決済情報を携帯端末１２に読み取らせた後、暗証番号を入力する。
【００９７】
そして、該暗証番号の入力が完了した後、携帯端末１２が読み取った前記ＩＣクレジットカード１１ｂの金融機関情報、決済情報、暗証番号、購入回数券情報等は暗号化され、電子回数券の購入要求として、ネットワーク１３を介して電子回数券販売システム２０に送信される。
【００９８】
続いて、携帯端末１２から送信された暗号化された金融機関情報、決済情報、暗証番号、購入回数券情報等を受信すると、電子回数券販売システム２０の決済サーバ２２は、決済システム３５にアクセスして、クレジット決済を行う。
【００９９】
この場合、クレジットの与信情報がチェックされ、利用者１０の取引が停止されていなかったり、クレジットの限度額を超えてなかったりして、問題がない場合には、クレジット決済が成立する。なお、前記利用者１０の取引が停止されていたり、クレジットの限度額を超えていたりする等、問題がある場合には、クレジット決済が成立しない。
【０１００】
そして、該クレジット決済が成立した場合、電子回数券販売システム２０は、掲載されていた電子回数券の回数券情報を暗号化し、ネットワーク１３を介して前記他の利用者１０の携帯端末１２に送信する。次に、該携帯端末１２は回数券情報をＩＣクレジットカード１１ｂに書き込む。そして、前記電子回数券販売システム２０が購入完了の通知を前記携帯端末１２に送信すると、前記通知が携帯端末１２の表示手段に表示される。さらに、エスクローサーバ２３に掲載されていた前記電子回数券の販売情報は消去される。
【０１０１】
また、クレジット決済が成立しなかった場合、電子回数券販売システム２０は、他の利用者１０の携帯端末１２に購入不可の通知を送信する。
【０１０２】
なお、エスクローサービスを利用して販売した電子回数券の代金を受領する動作については、前記第３の実施の形態と同様であるので説明を省略する。
【０１０３】
次に、フローチャートについて説明する。
ステップＳ９１  他の利用者１０はエスクローサーバ２３上の電子回数券の販売情報を検索する。
ステップＳ９２  希望する電子回数券があるか否かを判断する。希望する電子回数券がある場合はステップＳ９４に進み、希望する電子回数券がない場合はステップＳ９３に進む。
ステップＳ９３  検索を続けるか否かを判断する。検索を続ける場合はステップＳ９２に戻り、検索を続けない場合は処理を終了する。
ステップＳ９４  他の利用者１０は携帯端末１２上から希望する回数券番号（販売番号）を入力する。
ステップＳ９５  他の利用者１０はＩＣクレジットカード１１ｂを携帯端末１２に挿入する。
ステップＳ９６  携帯端末１２はＩＣクレジットカード１１ｂから氏名、電話番号、口座番号等の決済情報を読み取る。
ステップＳ９７  他の利用者１０は暗証番号を入力する。
ステップＳ９８  携帯端末１２は読み取った決済情報、及び、購入回数券情報を暗証番号と共に電子回数券販売システム２０へ送信する。
ステップＳ９９  電子回数券販売システム２０は利用者１０から決済情報、購入情報、暗証番号を受信する。
ステップＳ１００  電子回数券販売システム２０はクレジット決済を行う。
ステップＳ１０１  クレジット決済が成立したか否かを判断する。クレジット決済が成立した場合はステップＳ１０３に進み、クレジット決済が成立していない場合はステップＳ１０２に進む。
ステップＳ１０２  電子回数券販売システム２０は他の利用者１０に購入不可の通知を行い、処理を終了する。
ステップＳ１０３  電子回数券販売システム２０は回数券の購入情報を他の利用者１０の携帯端末１２に送信する。このとき、発行情報等を付加した上で暗号化する。
ステップＳ１０４  携帯端末１２は受信した回数券の購入情報をＩＣクレジットカード１１ｂに書き込む。
ステップＳ１０５  電子回数券販売システム２０は他の利用者１０に購入完了の通知を行う。
ステップＳ１０６  エスクローサーバ２３内の該当する販売情報を消去し、処理を終了する。
【０１０４】
このように、本実施の形態においては、利用者１０は携帯端末１２を操作して電子回数券販売システム２０のエスクローサーバ２３にアクセスすることによって、不要となった電子回数券を販売することができる。そのため、利用者１０は不要となった電子回数券を無駄にすることなく、容易に代金を回収することができる。また、エスクローサーバ２３を介して販売するので、手間をかけることなく販売することができるとともに、代金を確実に回収することができる。
【０１０５】
また、他の利用者１０は携帯端末１２を操作して電子回数券販売システム２０のエスクローサーバ２３にアクセスすることによって、所望の電子回数券を購入することができる。そのため、現金を持ち歩くことなく、電子回数券を購入することができ、また、回数券の販売窓口や販売機の設置場所に出向く必要がないので、場所、時間に関係なく回数券を購入することができる。
【０１０６】
さらに、サービス提供事業者は、紙媒体による回数券印刷費用を削減することができるとともに、販売手数料の収入を得ることができる。
【０１０７】
また、本発明は前記実施の形態に限定されるものではなく、本発明の趣旨に基づいて種々変形させることが可能であり、それらを本発明の範囲から排除するものではない。
【図面の簡単な説明】
【０１０８】
【図１】本発明の第１の実施の形態における電子回数券取引システムの構成を示す図である。
【図２】本発明の第１の実施の形態におけるＩＣキャッシュカードの構成を示す概念図である。
【図３】本発明の第１の実施の形態におけるＩＣクレジットカードの構成を示す概念図である。
【図４】本発明の第１の実施の形態における電子回数券取引システムでの電子回数券を購入する動作を示す第１のフローチャートである。
【図５】本発明の第１の実施の形態における電子回数券取引システムでの電子回数券を購入する動作を示す第２のフローチャートである。
【図６】本発明の第１の実施の形態における電子回数券取引システムでの電子回数券を利用する動作を示すフローチャートである。
【図７】本発明の第２の実施の形態における電子回数券取引システムでの電子回数券を購入する動作を示す第１のフローチャートである。
【図８】本発明の第２の実施の形態における電子回数券取引システムでの電子回数券を購入する動作を示す第２のフローチャートである。
【図９】本発明の第３の実施の形態における電子回数券取引システムでのエスクローサービスを利用して電子回数券の販売情報を掲載する動作を示すフローチャートである。
【図１０】本発明の第３の実施の形態における電子回数券取引システムでのエスクローサービスを利用して電子回数券を購入する動作を示す第１のフローチャートである。
【図１１】本発明の第３の実施の形態における電子回数券取引システムでのエスクローサービスを利用して電子回数券を購入する動作を示す第２のフローチャートである。
【図１２】本発明の第３の実施の形態における電子回数券取引システムでのエスクローサービスを利用して販売した電子回数券の代金を受領する動作を示すフローチャートである。
【図１３】本発明の第４の実施の形態における電子回数券取引システムでのエスクローサービスを利用して電子回数券を購入する動作を示す第１のフローチャートである。
【図１４】本発明の第４の実施の形態における電子回数券取引システムでのエスクローサービスを利用して電子回数券を購入する動作を示す第２のフローチャートである。
【符号の説明】
【０１０９】
１０    利用者
１２    携帯端末
２０    電子回数券販売システム
２２    決済サーバ
２３    エスクローサーバ
【図１】
2008269624.tif 000003
【図２】
2008269624.tif 000004
【図３】
2008269624.tif 000005
【図４】
2008269624.tif 000006
【図５】
2008269624.tif 000007
【図６】
2008269624.tif 000008
【図７】
2008269624.tif 000009
【図８】
2008269624.tif 000010
【図９】
2008269624.tif 000011
【図１０】
2008269624.tif 000012
【図１１】
2008269624.tif 000013
【図１２】
2008269624.tif 000014
【図１３】
2008269624.tif 000015
【図１４】
2008269624.tif 000016